(57)【要約】      （修正有）【課題】色々な部屋などで使用されている暖房装置により乾燥した状態時などで、簡単に加湿が出来るようにした簡易加湿器の提供。【解決手段】液体を、定形、不定形の容器の中へいれ、この容器の上部を複数の分割された支持部に取り付けた、長いボルトに吸水布を緩やかに垂らす。この容器の中の液体が、毛細管現象の作用により、吸水布に浸透していく。この吸水布にしみこんだ液体が気化し蒸発して、空気中の湿度を上げる。構成要素が少なく、容易に、簡単に簡易加湿器が、製造出来る。【選択図】図１
0003134369.tif 000002
【実用新案登録請求の範囲】
【請求項１】
液体を入れた容器（１）と、液面より上方にある一つあるいは複数の支持部（２）と、上方は支持部（２）にかけられて、下方が液中にあるタオルやガ−ゼに相当する吸水布（４）とで構成されることを特徴とした、簡易加湿器。
【請求項２】
上記請求項１、に於いて、透明な水準器（７）をもつことを特徴とした、簡易加湿器。
【請求項３】
上記請求項１、２、に於いて、容器（１）に、底面加熱ヒ−タ−（１０）、および、あるいは、側面加熱ヒ−タ−（１１）とで構成されることを特徴とした、簡易加湿器。
【考案の詳細な説明】
【技術分野】
【０００１】  国際特許分類
【背景技術】
【０００２】
【実用新案文献１】
特開２００３−７４９１６：この特許は、給水タンクから水の供給を受ける水槽に、一部が浸され、毛細管現象により水を吸い上げる気化フイルタ−により、気化した水蒸気と空気を混合して、送風機により室内へ供給して加湿を行う加湿器である。本考案では、給水タンクから水の供給を受けるのではない。また、本考案は、気化した水蒸気と空気を混合するものではなく、毛細管現象により、タオルあるいはガ−ゼ状に相当する給水布へ液体を、吸収させるだけの加湿器である。また、本考案は、送風機などは全く必要としていない。したがって、本考案とは、その構成要素が、全く異なる加湿器である。
【実用新案文献２】
特開平５−２８０８３３：この特許は、容器内の散布器と蒸気導入部に、水平に並ぶ多数の伝熱官と、この伝熱官の官軸に、平行な多数の網目状フインにより構成されるものである。本考案は、散布器などは、使用していない。また、本考案は、伝熱官とは、全く異なる構成である。また、本考案は、伝熱官に平行な多数の網目状フインなどは、全く必要としていない。
【実用新案文献３】
特開２００３−２４０４１８：この特許は、冷却フアンの回転駆動により、蒸発体を流通する空気流にて毛細管現象を用い、強制蒸発させる加湿器である。本考案は、冷却フアンなどは、必要としていない。また、本考案は、強制蒸発をさせるものではなく、毛細管現象にて、給水布に吸収された水分を自然な状態で用いるもので、強制蒸発させるものではない。
【実用新案文献４】
特開２００３−２６２３６７：この特許は、水槽に、一部が浸され毛細管現象を水を吸い上げる気化フイルタ−は、平板の布体と、波状の布体とを接着して形成させ並接し、フイルタ−構成体の外周に帯を捲回して結束させた構成である。この特許は、平板状と波状の布を接着させるものではなく、一枚の給水布にて、毛細管現象を、自然な状態で利用するものである。また、本公安は、フイルタ−構成体の外周に帯を捲回せて結束させた構成とは、全く異なるものである。本考案は、ごく自然な、しかも簡単な構成なものである。
【実用新案文献５】
【実用新案文献６】
特開２００４−２０９２６５：この特許は、包装および塗布用装置であり、本考案とは、目的が、全く異なっている。また、この特許は、第一の容積よりも小さい第二の容積へと、選択的に移行させるための圧縮手段が、具備されている。本考案では、その様な構成とは、全く異なっており、圧縮手段などは、全く必要としない。
【実用新案文献７】
特開２００５−３４３６７：この特許の目的は、洗浄用不織布、および洗浄用不織布積層体を提供するものであり、本考案の目的である加湿器とは、全く異なったものである。また、この特許は、毛細管現象によって液体を保持しており、収縮させることにより、吸収性繊維を通して各所に供給するものである。本考案では、収縮させる必要が全く無く、自然な乾燥を利用している。
【実用新案文献８】
特開２００６−１０２９５：この特許は、送風機をチュ−ブの吸い込み口に取り付ける構造のものであり、本考案とは、目的も構成も、全く異なるものである。また、この特許は、熱交換機のダブルスル−構造をとっており、送風機を含めた全体を、外装板で完全に覆っている構成である。これもまた、本考案とは、全く構成が、異なっている。
【考案の開示】
【考案が解決しようとする課題】
【０００３】部屋などで使用されている暖房装置により空気が乾燥した状態時などで、簡単で、かつ、容易に加湿が出来るものが、求められていた。
【課題を解決する手段】
【０００４】本考案の構成を、図１、図２、および図３、に示す。水あるいは水に相当する液体（６）を、定形、不定形の容器（１）の中へ入れる。この容器（１）の上部に分割された支持板（９）に取り付けた、液体（６）よりも上方にある一つ、あるいは複数の支持部（２）と、上方は、支持部（２）にかけられて。下方が液体（６）中には、長いタオルあるいはガ−ゼに相当する吸水布（４）を、複数の支持部（２）に緩やかに垂らす。容器（１）の底あるいは、底に近い側面部分には、バイパス部（８）を設けて、容器（１）と通じた液体量を知らせる透明な水準部（７）と、容器（１）を移動させる時に必要なトッテ（５）から構成される。本考案は、乾燥した部屋などに持ち込み、毛細管現象にて、液体（６）を充分に吸水布（４）に吸収させ、常温で乾燥を防ぐ。この時の液体（６）の量は、容器（１）と通じる透明な水準部（７）により、容易に知ることが出来る。この容器（１）、及び支持部（２）は、金属、あるいは非鉄金属、木製、あるいは透明なガラス、あるいはプラスチックス（透明、不透明）などで、出来ている。また、この容器（１）を移動する時には、容器（１）の両側に取り付けたトッテ（５）を持って動かすことが出来る。吸水布（４）を、容器（１）の上部が、複数に分割された支持部（９）に取り付けた支持部（２）に、連続して、あるいは不連続的に、緩やかに垂らす。また、吸収布（４）を取り付ける支持板（９）の部分のみ、容器（１）よりも高くして、空気との接触面積を増加させることも出来る「図３」。容器（１）内に、液体（６）を入れると、その量が透明な水準部（７）により、知ることが出来る。毛細管現象にて、室温で充分に液体（６）を吸収した吸水布（４）から、水分が気化し蒸発して、部屋などの乾燥を防ぐ。また、この加湿器の底面、あるいは側面に低温度での容器底面加熱ヒ−タ（１０）、および、あるいは、容器側面加熱ヒ−タ−（１１）「例えば、帯状ヒ−タ−や、円形ヒ−タ−など」を取り付ければ、液体（６）の気化、蒸発を促進して、一層の加湿効果が生じる。また、支持部（２）を平板状にしてもよく、また立て板状にしても強度を向上させることも、出来る。
【考案の効果】
【０００５】本考案では、毛細管現象を利用して、図１、２、３、の様に、充分に液体（６）を吸収させた、緩やかに垂らされた吸水布（４）から、水分が気化し、蒸発して空中に分散させて、その湿気で、部屋などの乾燥を防ぎ、健康にも良い影響を及ぼす。また、液体（６）の量は、容器（１）とバイパス部（８）により通じている、透明な水準部（７）を見てその量を知ることが出来る。また、この容器（１）、を移動させる場合は、容器（１）の両サイドに取り付けたトッテ（５）を手に持って、持ち運びが自由に出来る。本考案では、大きな加湿器でも、両手で簡単に持ち運びが出来るので、乾燥した部屋などに、充分なる湿気を与えて、健康にも良い影響を与える。しかも、支持部（２）を、容器（１）よりも高くした支持板（９）を用いて、より多くの加湿効果を高めることもできる「図３」。また、支持板（９）に取り付ける支持部（２）を、平板状にして、空気との接触面積を、増加させることも出来る。また、たて板状にして、強度を向上させることも出来る。本考案は、複雑な構成ではなく、簡単な加湿器であることから、安価にて、容易に製造することが出来る。また、容器（１）に底面加熱ヒ−タ−（１０）や、側面加熱ヒ−タ−（１１）を着装することで、より一層の気化、蒸発の作用が強まり、加湿器の効果をより大きくすることが出来る。また、容器（１）や、支持部（２）の材質を、金属、非鉄金属だけでは無く、木製やプラスチック「強化プラスチックスも含む」でも容易に製造が出来る。その場合、容器（１）が、非常に軽量化が出来、より大きな加湿器を製造することも出来る。この場合、数メ−トル四角の容器（１）にすれば、大きな体育館や、その他の大きな部屋での加湿器も、容易に製造することが出来る。用いる材料が、吸水布（４）と水に相当する液体（６）であることから、大きな装置に製造しようとしても、容易に、簡単に製造が出来る。本考案の大きさは、全く自由であり、その目的に合った大きさのものを、製造することが出来る。
【考案を実施するための最良な形態】
【０００６】本考案は、容器に液体を入れ、毛細管現象を利用して、吸水布への水の上昇により、加湿器の作用を自由にすることが出来る。容器の底面や側面に加熱ヒ−タ−をつければ、より大きな効果が生じる。容器の材質をプラスチックス「強化プラスチックスも含む」にすれば、非常に大きな装置としての効果を生じさせる。また、支持部のみの高さを、高く出来、より効率の良い加湿器が得られた。
【実施例】
【０００７】本考案の、一実施例を、図１、図２、図３、に示す。図１、図２、に於いて、この容器（１）の大きさは、５０センチメ−トル正方形とした。液体（６）の水の高さは、５センチメ−トルとした。その時の液体（６）の容積は、５０＊５０＊５＝１２５００立方センチメ−トルで、重量が、１２，５キログラムであった。この重量は、大人が両手で、容易に、充分に持ち運びが出来る重量であった。また、支持板（９）を４本とし幅を３センチメ−トルとした。また、その高さを２０センチメ−トルとした。また、支持部の間隔を５センチメ−トルとした。この状態での吸水布（４）の長さを、２メ−トルとした。この結果、考案者の会社の大きな会議室へ持って行き、加湿器の無い時の湿度を測ってみた。その時の湿度は、４０％で有った。本考案の加湿器を３０分間設置した後の湿度は、６５％に成って居た。これで、本加湿器の効果が、明らかであることが、分かった。その後、二時間経過した時の湿度は、６７％であった。したがって、本考案の加湿器の効果は、初めの方で急速に湿度が上がり、暫らくすると、殆んど一定になることが分かった。また、加湿器に底面加熱ヒ−タ−（１０）と、側面加熱ヒ−タ−（１１）を取り付け、約６０℃に設定をした。測定の結果、初めの湿度の上昇が大きく、３０分で湿度は６６％となった。しかし、約二時間後の湿度は７０％で、その後の湿度は、殆んど変化は生じなかった。また、支持部（２）のみ高くした状態が、図３、であり、この方式が、最も効率が上昇した。
【産業上の利用可能性】
【０００８】本考案は、規模が自由に出来る。また材質も、金属、非鉄金属、木製、強化プラスチックスなどで、自由な規模の加湿器を製造することが出来る。また、容器や、支持部を金属や、非鉄金属にすれば、メ−トル単位の大きな規模の加湿器が、容易に、簡単に出来る。勿論、一般家庭用に、３０センチメ−トル四角の加湿器を強化プラスチックスにすれば、子供でも、女性でも持ち運びが自由であることから、利用分野は、想像が出来無い位である。
【図面の簡単な説明】
【０００９】
【図１】  本考案の一実施例で、簡略化した平面図
【図２】  本考案の一実施例で、簡略化した断面図
【図３】  本考案の一実施例で、加熱ヒ−タ−を取り付け、支持部を高くした時の簡略化した断面図
【符号の説明】
【００１０】  １、溶液を入れた容器
２、支持部「板状のものを、立てたものも含む」
３、固定用ナット
４、タオルあるいはガ−ゼに相当する吸水布
５、トッテ
６、水あるいは、水に相当する液体
７、水準部
８、バイパス部
９、支持板
１０、容器底面の加熱ヒ−タ−
１１、容器側面の加熱ヒ−タ−
【図１】
0003134369.tif 000003
【図２】
0003134369.tif 000004
【図３】
0003134369.tif 000005